(57)【要約】  折り畳みチェアは、一対の座面バーによって形成される座席座面を含むことができる。この座席座面には、一対の鉛直脚によって引張力をかけることができる。このチェアは、また、斜めに延びる一対の背もたれバーによって形成される背もたれと、一対のクロスバーによって形成される前方フレームと、後方クロスバーによって形成される後方フレームと、一対のアームレストとを含むことができる。一例において、座席座面及び背もたれは、サスペンション布地で形成することができる。鉛直脚の各々に、下側脚と上側脚とを設けることができる。内側脚は、外側脚の中から入れ子式に伸長するように構成することができ、鉛直脚の少なくとも一方に、外側脚を内側脚に係止するためのラッチを設けることができる。ラッチは、ロッカーと突起とを備えることができ、内側脚に形成されたスロットから外へ突起を回転させて出すように構成することができる。背もたれに、背もたれを展開位置に維持するためのテンショナを設けることができる。テンショナは、一対の連結部を含むことができ、インサートは、この一対の連結部を引張位置に保持するように構成することができる。
2021511109.tif 000002
【特許請求の範囲】
【請求項１】
一対の座面バーによって形成される座席座面であって、一対の鉛直脚によって引張力がかけられる座席座面と、
斜めに延びる一対の背もたれバーによって形成される背もたれと、
一対のクロスバーによって形成される前方フレームと、
後方クロスバーによって形成される後方フレームと、
一対のアームレストと
を備える折り畳みチェアであって、
前記座席座面及び前記背もたれが、サスペンション布地で形成され、前記サスペンション布地が、オーバーラップ部と、前記オーバーラップ部によって作られた中空部内に設置されるコアとを有し、前記中空部内の前記コアが、斜めに延びる前記一対の背もたれバーの上部に非対称に位置する切り欠き内に固定され、
前記鉛直脚の各々に、内側脚と外側脚とが設けられ、前記内側脚が、前記外側脚の中から入れ子式に伸長するように構成される、折り畳みチェア。
【請求項２】
前記鉛直脚の少なくとも一方に、前記外側脚を前記内側脚に係止するためのラッチが設けられ、前記ラッチが、ロッカーと突起とを備え、前記内側脚に形成されたスロットから外へ前記突起を回転させて出すように構成された、請求項１に記載の折り畳みチェア。
【請求項３】
前記ラッチが、前記突起を前記内側脚の前記スロット内に維持するための第１の付勢部材を更に備える、請求項２に記載の折り畳みチェア。
【請求項４】
前記サスペンション布地が、
第１の糸と、
第２の糸と、
熱可塑性のポリウレタンフィルムと
を更に備え、
前記第１の糸が、ポリマーであり、前記第２の糸が、前記第１の糸よりもエラストマー性が高く、
前記熱可塑性ポリウレタンフィルムが、前記第１の糸及び前記第２の糸にヒートプレスされた、請求項１に記載の折り畳みチェア。
【請求項５】
一対の座面バーによって形成される座席座面であって、一対の鉛直脚によって引張力がかけられる座席座面と、
斜めに延びる一対の背もたれバーによって形成される背もたれと、
一対のクロスバーによって形成される前方フレームと、
後方クロスバーによって形成される後方フレームと、
一対のアームレストと
を備える折り畳みチェアであって、
前記座席座面及び前記背もたれが、サスペンション布地で形成され、
前記鉛直脚の各々に、内側脚と外側脚とが設けられ、前記内側脚が、前記外側脚の中から入れ子式に伸長するように構成され、前記鉛直脚の少なくとも一方に、前記外側脚を前記内側脚に係止するためのラッチが設けられ、前記ラッチが、ロッカーと突起とを備え、前記内側脚に形成されたスロットから外へ前記突起を回転させて出すように構成され、
前記背もたれが、前記背もたれを展開位置又は引張位置に維持するように構成されたテンショナを含み、前記テンショナが、後方テンショナハンドルと、一対の後方テンショナアームとを備える、折り畳みチェア。
【請求項６】
前記背もたれサスペンション布地が、オーバーラップ部と、前記オーバーラップ部によって作られた中空部内に設置されるコアとを有し、
前記サスペンション布地が、
第１の糸と、
第２の糸と、
熱可塑性のポリウレタンフィルムと
を更に備え、
前記第１の糸が、ポリマーであり、前記第２の糸が、前記第１の糸よりもエラストマー性が高く、
前記熱可塑性ポリウレタンフィルムが、前記第１の糸及び前記第２の糸にヒートプレスされた、請求項５に記載の折り畳みチェア。
【請求項７】
前記中空部内の前記コアが、斜めに延びる前記一対の背もたれバーの上部に非対称に位置する切り欠き内に固定される、請求項６に記載の折り畳みチェア。
【請求項８】
前記テンショナが、少なくとも１つの内部ストッパと、複数の回転軸点とを更に備える、請求項５に記載の折り畳みチェア。
【請求項９】
ユーザが、前記テンショナがオーバーセンター点を越えて前記内部ストッパに接触するまで前記後方テンショナハンドルに対して下方向の力を徐々に強めるように加えると、前記テンショナが、前記引張位置に移動するように構成され、
前記サスペンション布地のみによって、前記テンショナが前記引張位置に留められる、請求項８に記載の折り畳みチェア。
【請求項１０】
ユーザが、前記テンショナがオーバーセンター点を越えて前記引張位置から折畳位置に解放されるまで前記後方テンショナハンドルに対して上方向の力を徐々に強めるように加えると、前記テンショナが、前記引張位置から解放されるように構成された、請求項８に記載の折り畳みチェア。
【請求項１１】
前記テンショナが、更に、前記テンショナ内部の面と前記テンショナアームの一方との間に安全間隙を備える、請求項５に記載の折り畳みチェア。
【請求項１２】
前記テンショナアームの各々が、テンショナ収納部に画成されたスロット内を誘導されるカムを有し、前記スロットが、前記テンショナの解除中、前記テンショナアームの移動を制限して前記安全間隙を維持する、請求項１１に記載の折り畳みチェア。
【請求項１３】
前記テンショナが前記引張位置にあるとき、前記一対のテンショナアームが、その下側に１８０度よりも大きい角度を形成し、その上側に１８０度よりも小さい角度を形成する、請求項５に記載の折り畳みチェア。
【請求項１４】
前記テンショナが、前記テンショナアームを受けるための一対の回転軸を有する収納部を画成し、
前記一対の回転軸が、ユーザに露出しないように前記収納部の内部に位置する、請求項５に記載の折り畳みチェア。
【請求項１５】
前記ハンドルが、前記テンショナから上方向に延出する、請求項５に記載の折り畳みチェア。
【請求項１６】
前記サスペンション布地のみによって、前記テンショナが前記引張位置に留められる、請求項１１に記載の折り畳みチェア。＾
【請求項１７】
一対の座面バーによって形成される座席座面であって、一対の鉛直脚によって引張力がかけられる座席座面と、
斜めに延びる一対の背もたれバーによって形成される背もたれと、
一対のクロスバーによって形成される前方フレームと、
後方クロスバーによって形成される後方フレームと、
一対のアームレストと
を備える折り畳みチェアであって、
前記座席座面及び前記背もたれが、サスペンション布地で形成され、
前記背もたれサスペンション布地が、オーバーラップ部と、前記オーバーラップ部によって作られた中空部内に設置されるコアとを有し、前記中空部内の前記コアが、斜めに延びる前記一対の背もたれバーの上部の非対称な切り欠き内に固定され、
前記サスペンション布地オーバーラップ部が、第１の糸と、第２の糸と、熱可塑性のポリウレタンフィルムとを更に含み、前記第１の糸が、ポリマーであり、前記第２の糸が、前記第１の糸よりもエラストマー性が高く、前記熱可塑性ポリウレタンフィルムが、前記第１の糸及び前記第２の糸にヒートプレスされ、
前記鉛直脚の各々に、内側脚と外側脚とが設けられ、前記内側脚が、前記外側脚の中から入れ子式に伸長するように構成され、前記鉛直脚の少なくとも一方に、前記外側脚を前記内側脚に係止するためのラッチが設けられ、前記ラッチが、ロッカーと突起とを備え、前記内側脚に形成されたスロットから外へ前記突起を回転させて出すように構成され、
前記背もたれが、前記背もたれを展開位置又は引張位置に維持するように構成されたテンショナを含む、折り畳みチェア。
【請求項１８】
前記テンショナが、一対の弓状スロットと、各々が突起を有する一対のアームとを備え、前記弓状スロットが、前記一対のアームと収納部内部の面とが前記テンショナ上に安全間隙を画成するように、前記一対のアームの移動を制限する、請求項１７に記載の折り畳みチェア。
【請求項１９】
前記サスペンション布地が、前記テンショナを前記引張位置に維持する、請求項１７に記載の折り畳みチェア。
【請求項２０】
前記テンショナが、一対のストッパを更に備え、前記サスペンション布地が単独で前記一対のアームを前記一対のストッパに対して付勢する、請求項１７に記載の折り畳みチェア。
【発明の詳細な説明】
【技術分野】
【０００１】
〔関連出願の相互参照〕
本出願は、２０１８年１月１２日に出願された米国特許仮出願６２／６１７，１６０及び２０１８年３月５日に出願された米国特許仮出願６２／６３８，８７９の利益を主張するものであり、これらの出願は、その全体が参照により本明細書に組み込まれるものとする。
【背景技術】
【０００２】
折り畳みチェアは、着座の選択肢として非常に人気がある。このようなチェアは、観戦スポーツのサイドライン外から森林でのキャンプまで、あらゆる場所で使用されうる。折り畳みチェアは、大部分の人々にとって手頃な価格であるが、価格が手頃ということは、チェアの構造に必ずしも最良の材料が使用されていないということを意味することがよくある。幾つかの例において、ユーザは、折り畳みチェアをユーザの肩に吊り下げて、持ち運ぶことができる。また幾つかの例では、折り畳みチェアは、その座面に所定の圧力点があることがあり、ユーザにとって座り心地が悪いということがあり得る。加えて、折り畳みチェアを開いた位置に保つために、ユーザの体重を必要とする折り畳みチェアもある。例えば、ユーザがチェアから立ち上がりチェアを移動させようとすると、チェアはぎこちなく折り畳まれてしまうかもしれない。また、所定のチェアは、時間と共に色や外観が褪せてしまう特定の布地を有するかもしれない。
【発明の概要】
【０００３】
ここでは、以下の実施形態において更に記載される、簡略化した本開示に関する幾つかの一般概念の概説を提供する。ここは本発明の主要な特徴や必須の特徴を特定することを意図するものではない。
【０００４】
本開示の側面は、折り畳みチェア及び折り畳みチェア用の係止機構に関する。
【０００５】
幾つかの実施例において、折り畳みチェアは、一対の座面バーによって形成される座席座面を含んでもよい。座席座面は、一対の鉛直脚によって引張力がかけられてもよい。幾つかの実施例において、折り畳みチェアは、斜めに延びる一対の背もたれバーによって形成される背もたれを含んでもよい。他の実施例において、折り畳みチェアは、一対のクロスバーによって形成される前方フレームと、後方クロスバーによって形成される後方フレームとを含んでもよい。また他の実施例において、折り畳みチェアは、一対のアームレストを含んでもよい。他の実施例において、座席座面及び背もたれは、サスペンション布地で形成される。幾つかの実施例において、サスペンション布地は、第１の糸と、第２の糸と、熱可塑性のポリウレタンフィルムとで構成されてもよい。他の実施例において、第１の糸は、ポリマーであってもよく、第２の糸は、第１の糸よりもエラストマー性が高くてもよく、熱可塑性ポリウレタンフィルムは、第１の糸及び第２の糸にヒートプレスすることができる。
【０００６】
幾つかの構成において、折り畳みチェアは、下側脚又は下側筒及び上側脚又は上側筒が設けられた鉛直脚を含んでもよい。この内側脚又は内側筒は、外側脚又は外側筒の中から入れ子式に伸長するように構成される。更に他の実施例において、鉛直脚の少なくとも一方に、外側脚を内側脚に係止するためのラッチが設けられる。また他の実施例において、ラッチは、ロッカーと突起とを含み、内側脚に形成されたスロットから外へこの突起を回転させて出すように構成される。他の実施例において、背もたれは、背もたれを展開位置に維持するためのテンショナを含んでもよい。幾つかの実施例において、テンショナは、一対の連結部と、この一対の連結部を引張位置に保持するように構成されたインサートとを含んでもよい。他の実施例において、背もたれは、背もたれを展開位置又は引張位置に維持するように構成されたテンショナを含んでもよく、テンショナは、後方テンショナハンドルと、一対の後方テンショナアームとを更に備えてもよい。
【０００７】
また他の構成において、折り畳みチェアは、突起を内側脚のスロット内に維持するように構成された第１の付勢部材を更に含むラッチを含む。他の実施例において、折り畳みチェアは、連結部のための一対の回転軸と、連結部が引張位置にあるときに、この連結部に位置する切り欠きを受けるための一対のピンとをもつテンショナを含む。別の実施例において、テンショナは、解除機構も含み、この解除機構は、上述の一対のピンを受けるための一対の斜めスロットを更に含む。斜めスロットは、ユーザが解除機構を押すと、ピンが、それを受けていた切り欠きから離れて連結部を回転させて背もたれへの引張力が解消されるように、角度がつけられていてもよい。
【０００８】
幾つかの実施例において、折り畳みチェアは、第２の付勢要素を受けるように、また、インサートに係合するように構成されたフランジを含む座面を含み、このベーシング要素は、フランジを介して、インサートを解除位置に設置する。他の実施例において、受ける切り欠きは、連結部の互いに近接する端部に位置する。他の実施例において、斜めスロットは、テンショナの下部によって定められる平面から約４５度の角度で配置される。更に他の実施例において、斜めスロットは、解除機構上に対称に設置される。他の実施例において、インサートは、一対のインサートスロットを含み、インサートスロットは、ピンを受けるように構成され、インサートの内側寄りに位置し、回転軸は、インサートスロットの外側に位置してもよい。幾つかの実施例において、インサートは、一対の連結部のピンを受けるためのスロットを含んでもよく、切り欠きは、一対の連結部の少なくとも一方にあるボスを受けるように構成されてもよく、ユーザは、解除機構を摺動させてテンショナを解除してもよい。
【０００９】
他の実施例において、後方テンショナは、少なくとも１つの内部ストッパと、複数の回転軸点とを含んでもよい。また他の実施例において、後方テンショナは、更に、後方テンショナハンドルの底部と後方テンショナアームとの間に安全間隙を含んでもよい。別の実施例において、テンショナは、更に、テンショナ内部の面と一方のテンショナアームとの間に安全間隙を備える。他の実施例において、各テンショナアームは、テンショナ収納部に画成されたスロット内を誘導されるカムを含む。そして、スロットは、テンショナの解除中、テンショナアームの移動を制限して安全間隙を維持する。また他の実施例において、テンショナは、テンショナアームを受けるための一対の回転軸を有する収納部を画成し、一対の回転軸は、ユーザに露出しないように収納部の内部に位置する。幾つかの実施例において、ユーザが、テンショナがオーバーセンター点を越えてストッパに接触するまで後方テンショナハンドルに対して下方向の力を徐々に強めるように加えると、テンショナは、引張位置に掛止するように構成される。他の実施例において、ユーザが、テンショナがオーバーセンター点を越えて引張位置から折畳位置に解放されるまで後方テンショナハンドルに対して上方向の力を徐々に強めるように加えると、テンショナは、引張位置から解放されるように構成される。更に他の実施例において、テンショナが引張位置にあるとき、一対のテンショナアームが、その下側に１８０度よりも大きい角度を形成し、その上側に１８０度よりも小さい角度を形成する。所定の実施例において、テンショナは、サスペンション布地のみによって、引張位置に留められる。幾つかの実施例において、背もたれは、背もたれを展開位置又は引張位置に維持するように構成されたテンショナを含む。
【００１０】
幾つかの実施例において、折り畳みチェアは、サスペンション布地で形成される背もたれを含んでもよく、このサスペンション布地は、その内部にコアを収容するオーバーラップ部を含んでもよい。他の実施例において、オーバーラップ部は、中空部を含み、コアは、この中空部内に設置される。オーバーラップ部の中空部内のコアは、斜めに延びる一対の背もたれバーの上部に非対称に位置する切り欠き内に固定されてもよい。他の実施例において、サスペンション布地は、第１の糸と、第２の糸と、熱可塑性のポリウレタンフィルムとで構成されてもよい。幾つかの実施例において、第１の糸は、ポリマーであってもよく、第２の糸は、第１の糸よりもエラストマー性が高くてもよい。また他の実施例において、熱可塑性ポリウレタンフィルムは、第１の糸及び第２の糸にヒートプレスされてもよい。所定の実施例において、テンショナは、一対の弓状スロットと、各々が突起又はリベットを有する一対のアームとを備え、弓状スロットは、一対のアームと収納部内部の面とがテンショナ上に安全間隙を画成するように、一対のアームの移動を制限する。幾つかの実施例において、テンショナは、一対のストッパを更に含んでもよく、サスペンション布地が単独で、この一対のストッパに対して一対のアームを付勢する。
【００１１】
これら及びその他の各種特徴は、本明細書においてより詳しく説明される。
【図面の簡単な説明】
【００１２】
この特許ファイル又は出願ファイルには、少なくとも１つのカラー図面が含まれる。このカラー図面を含む特許又は特許出願公開のコピーは、要請と必要手数料の支払いを受けて、米国特許商標局により提供される。
【００１３】
上記の（発明の概要）及び下記の（発明を実施するための形態）は、添付の図面と併せて考慮することで、よりよく理解されるだろう。図面において、同一又は類似の要素には、その符号が現れる全ての様々な図において、同様の符号を付している。
【００１４】
【図１】図１は、折り畳みチェアの一例の図を示す。
【図２】図２は、折り畳みチェアの一例の異なる図を示す。
【図３】図３は、折り畳みチェアの一例の異なる図を示す。
【図４】図４は、折り畳みチェアの一例の異なる図を示す。
【図５】図５は、折り畳みチェアの一例の異なる図を示す。
【図６】図６は、折り畳みチェアの一例の異なる図を示す。
【図７】図７は、折り畳みチェアの別例を示す。
【図７Ａ】図７Ａは、前脚及びそれに関連する係止機構の一例の一部分の断面図を示す。
【図７Ｂ】図７Ｂは、前脚及びそれに関連する係止機構の一例の一部分の断面図を示す。
【図８】図８は、図７Ａ及び図７Ｂの例の前脚の図を示す。
【図９】図９は、図７Ａ及び図７Ｂの例の前脚の異なる図を示す。
【図１０】図１０は、図７Ａ及び図７Ｂの例の前脚の異なる図を示す。
【図１１】図１１は、図７Ａ及び図７Ｂの例の前脚の異なる図を示す。
【図１２】図１２は、図７Ａ及び図７Ｂの例の前脚の異なる図を示す。
【図１２Ａ１】図１２Ａ１は、背もたれ係止機構をもつ別例のチェアの後面図を示す。
【図１２Ａ２】図１２Ａ２は、図１２Ａ１の係止機構の図を示す。
【図１２Ｃ】図１２Ｃは、図１２Ａ１の係止機構の異なる図を示す。
【図１２Ｄ】図１２Ｄは、図１２Ａ１の係止機構の異なる図を示す。
【図１３】図１３は、代替的な背もたれ係止機構をもつ別例のチェアの後面斜視図を示す。
【図１３Ａ】図１３Ａは、図１３の背もたれ係止機構の図を示す。
【図１３Ｂ】図１３Ｂは、図１３の背もたれ係止機構の異なる図を示す。
【図１３Ｃ】図１３Ｃは、図１３の背もたれ係止機構の異なる図を示す。
【図１４】図１４は、一体型カップホルダが形成された別例の折り畳みチェアを示す。
【図１５Ａ】図１５Ａは、背もたれ係止機構の別例の後面図を示す。
【図１５Ｂ】図１５Ｂは、図１５Ａの例の背もたれ係止機構の側面図を示す。
【図１５Ｃ】図１５Ｃは、図１５Ａの例の背もたれ係止機構の底面斜視図を示す。
【図１６Ａ】図１６Ａは、引張位置にある１５Ａの例の背もたれ係止機構の断面図を示す。
【図１６Ｂ】図１６Ｂは、解除位置にある１５Ａの例の背もたれ係止機構の断面図を示す。
【図１６Ｃ】図１６Ｃは、折畳位置にある１５Ａの例の背もたれ係止機構の断面図を示す。
【図１７Ａ】図１７Ａは、引張力がかかった構成の、図１５Ａの例の背もたれ係止機構の前方断面図を示す。
【図１７Ｂ】図１７Ｂは、引張力がかかった構成の、図１５Ａの例の背もたれ係止機構の後方断面図を示す。
【図１８Ａ】図１８Ａは、解除された構成の、図１５Ａの例の背もたれ係止機構の前方断面図を示す。
【図１８Ｂ】図１８Ｂは、解除された構成の、図１５Ａの例の背もたれ係止機構の後方断面図を示す。
【図１９Ａ】図１９Ａは、サスペンション布地をフレームに固定する取り付け方法を示す。
【図１９Ｂ】図１９Ｂは、サスペンション布地をフレームに固定する取り付け方法を示す。
【図２０】図２０は、図１９Ａ及び図１９Ｂに示すサスペンション布地をフレームに固定する取り付け方法を示す拡大上面図である。
【図２１Ａ】図２１Ａは、一体型カップホルダが形成された折り畳みチェアの別例と、背もたれ後方引張機構の一例とを示す。
【図２１Ｂ】図２１Ｂは、一体型カップホルダが形成された折り畳みチェアの別例と、背もたれ後方引張機構の一例とを示す。
【図２２Ａ】図２２Ａは、背もたれ後方引張機構をもつ、サスペンション布地を取り外した状態の折り畳みチェアのフレームの別例を示す。
【図２２Ｂ】図２２Ｂは、図２２Ａの例の背もたれ後方引張機構の後面図を示す。
【図２３】図２３は、図２２Ａの例の後方引張機構の拡大部品図を示す。
【図２４Ａ】図２４Ａは、後方テンショナから後方テンショナカバーが分離された状態の、背もたれ引張機構後方テンショナを示す。
【図２４Ｂ】図２４Ｂは、本明細書に記載される背もたれ引張機構後方テンショナ及び後方テンショナカバーの別例を示す。
【図２４Ｃ】図２４Ｃは、本明細書に記載される背もたれ引張機構後方テンショナ及び後方テンショナカバーの別例を示す。
【図２４Ｄ】図２４Ｄは、本明細書に記載される背もたれ引張機構後方テンショナ及び後方テンショナカバーの別例を示す。
【図２５Ａ】図２５Ａは、ユーザが、後方テンショナハンドルを押し下げて、後方テンショナがオーバーセンター状態となって内部ストッパに当たるまでその力を強めることにより、後方テンショナが掛止する様子を示す。
【図２５Ｂ】図２５Ｂは、ユーザが、後方テンショナハンドルを押し下げて、後方テンショナがオーバーセンター状態となって内部ストッパに当たるまでその力を強めることにより、後方テンショナが掛止される様子を示す。
【図２６Ａ】図２６Ａは、テンショナを解放するまでユーザがハンドルを引き上げることにより、後方テンショナが解放される様子を示す。
【図２６Ｂ】図２６Ｂは、テンショナを解放するまでユーザがハンドルを引き上げることにより、後方テンショナが解放される様子を示す。
【図２７】図２７は、引張力がかかった状態の後方テンショナの断面を示す。
【図２８】図２８は、折畳位置にある後方テンショナの後面斜視図及び断面図を示す。
【図２９】図２９は、後方テンショナと後方テンショナアームとの間の間隙を示す。
【図３０Ａ】図３０Ａは、後方テンショナの別例を示す。
【図３０Ｂ】図３０Ｂは、後方テンショナの別例を示す。
【図３０Ｃ】図３０Ｃは、後方テンショナの別例を示す。
【図３０Ｄ】図３０Ｄは、後方テンショナの別例を示す。
【図３０Ｅ】図３０Ｅは、後方テンショナの別例を示す。
【図３０Ｆ】図３０Ｆは、後方テンショナの別例を示す。
【図３１Ａ】図３１Ａは、取り外し可能及び取り替え可能なカップホルダが形成された折り畳みチェアの別例を示す。
【図３１Ｂ】図３１Ｂは、取り外し可能及び取り替え可能なカップホルダが形成された折り畳みチェアの別例を示す。
【図３２Ａ】図３２Ａは、折り畳み構成又は保管構成の折り畳みチェアの別例を示す。
【図３２Ｂ】図３２Ｂは、折り畳み構成又は保管構成の折り畳みチェアの別例を示す。
【図３２Ｃ】図３２Ｃは、折り畳み構成又は保管構成の折り畳みチェアの別例を示す。
【図３３Ａ】図３３Ａは、サスペンション布地の一例の構造及び材料を示す。
【図３３Ｂ】図３３Ｂは、サスペンション布地の一例の構造及び材料を示す。
【図３３Ｃ】図３３Ｃは、サスペンション布地の一例の構造及び材料を示す。
【００１５】
更に、図面は、１つの実施形態における異なる構成部品の縮尺を表すかもしれないが、開示の実施形態は、その特定の縮尺に限定されるものではないことを理解されたい。
【発明を実施するための形態】
【００１６】
以下に、本開示の一部をなす添付の図面を参照し、本開示の様々な例や構成部品を説明する。添付の図面には、例示の目的で、本開示の各側面を実行しうる様々な構造や環境の例が示される。なお、他の構造や環境を使用してもよいこと、また、具体的に説明する構造や方法を、本開示の範囲から逸脱することなく構造的及び機能的に変更してもよいことを理解されたい。
【００１７】
図１〜図６に、チェアの一例を示す。チェア１００は、座席底面１０２と、背もたれ１０４とを含んでもよい。一実施例において、座席底面１０２及び背もたれ１０４は、チェアが折り畳まれていない位置（展開位置）にある時に引張力がかかる、エラストマー性のサスペンション布地１５５で形成できる。ユーザがチェア１００に座ると、この布地がユーザの体に沿って、圧力点を作らない座り心地のよい座面が作られる。また、座席底面１０２には、鉛直脚１０６によって引張力がかけられる。
【００１８】
座席底面１０２は、上側布地１５５によって繋がった一対の座面バー１５０により形成される。一実施例において、下側布地１５５ａには、コアを受けるスロットが設けられていて、このコアを、座面バー１５０に形成された溝内に設置することができる。背もたれは、斜め及び／又は平行に延びる一対の背もたれバー１５２によって形成できる。上側布地１５５は、コアを受けるスロットが設けられていて、このコアを、背もたれバー１５２に形成された非対称の溝内に設置することができる。背もたれバー１５２は、チェア１００の正面の、鉛直脚１０６及び前方クロスバー１４２，１４４の下部まで延出することができる。所定の実施例において、チェアの布地を、ＵＶ抵抗性としたエラストマー性のサスペンション布地で形成することができ、これによりチェアの経時的色褪せが起きにくくなる。
【００１９】
所定の実施例において、座席底面１０２のサスペンション材料及び／又は背もたれ１０４のサスペンション材料は、エラストマーであってもよい。他の実施例において、座席底面１０２のサスペンション材料及び／又は背もたれ１０４のサスペンション材料は、エラストマー特性をもつ糸で編んだ材料によって構成されてもよい。エラストマー特性は、引張力や重さなどの応力下（すなわち弾力性の上昇）で伸びて変形する能力を含む。負荷の応力が解消されたとき、エラストマー特性によって、サスペンション材料の元の形状への復帰と、クリープ及び／又は永久変形に抵抗する能力とが可能となる。一実施例において、図３３Ａ及び３３Ｂに示すように、サスペンション材料は、アクリルやポリマー及びその混合物で形成できる第１の糸３００と、この第１の糸３００よりもエラストマー性が高いエラストマー材料で形成できる第２の糸３０２とで形成できる。第２の糸のエラストマー特性によって、上述したサスペンション材料のエラストマー特性の提供が助けられうる。
【００２０】
また他の実施例において、図３３Ｃに示すように、座席底面１０２のサスペンション材料及び／又は背もたれ１０４のサスペンション材料は、サスペンション材料の片側又は両側にヒートプレスされた熱可塑性のポリウレタンフィルム（ＴＰＵ）３０４を含んでもよい。例えば、ＴＰＵ３０４は、上述の糸を編んだ後に、その布地の上面、底面、又は両面に追加することができる。更に他の実施例において、座席底面１０２のサスペンション材料及び／又は背もたれ１０４のサスペンション材料は、第１のポリマー糸と第２の糸とを編んだものにヒートプレスされたＴＰＵフィルムを含んでもよい。ＴＰＵフィルムをサスペンション材料にヒートプレスして追加すると、特定の用途において有利でありうる。例えば、ＴＰＵを追加することにより、材料を縫い合わせた後、糸抜けやほつれが起きにくくなる機械的接合が作られて、サスペンション材料の寿命が延びるかもしれない。幾つかの実施例において、ＴＰＵフィルムの厚さは、少なくとも、０．１ｍｍ、０．０２ｍｍ、０．０３ｍｍ、０．０４ｍｍ、０．０５ｍｍ、０．０６ｍｍ、０．０７ｍｍ、０．０８ｍｍ、０．０９ｍｍ、０．１０ｍｍの厚さがある。また他の実施例において、ＴＰＵ層又はＴＰＵフィルムを、第１及び第２の糸よりも融点が低いエラストマー材料に置き換えて、これらの糸を編んだ後に、このエラストマー材料をサスペンション布地にヒートプレスできるようにしてもよい。
【００２１】
チェア１００は、図２及び図５に示すように、前方クロスバー１４２，１４４によって形成される前方Ｘフレーム１１４を含むことができる。前方クロスバー１４２は、前方ブラケット１４２ｃによって接続される別体の前方連結部１４２ａ及び１４２ｂによって形成できる。同様に、チェア１００は、後方クロスバー１４６及び１４８によって形成される後方Ｘフレーム１４５を含むことができる。後方クロスバー１４６は、後方ブラケット１４６ｃによって接続される別体の後方連結部１４６ａ及び１４６ｂによって形成できる。このチェア１００は、図１に示すように、一対のアームレスト１１２ａ，１１２ｂを含んでもよい。
【００２２】
チェア１００は、持ち運びと保管がし易くなるように、折りたためるように構成されている。図７Ａ及び図７Ｂに、鉛直脚１０６の一例の断面図を示す。鉛直脚１０６は、下側の内側脚又は筒１０６ａと、上側の外側脚又は筒１０６ｂとにより構成されている。チェア１００が折り畳まれるにつれて、内側脚１０６ａは、外側脚１０６ｂの中から入れ子式に伸長する。このように、内側脚１０６ａが外側脚１０６ｂの中から出ると、前方連結部１４２ａ及び１４２ｂは、前方ブラケット１４２ｃを軸にして動き、前方連結部１４２ａ及び１４２ｂのそれぞれの端部が、互いに向かって移動する。同様に、チェアが折り畳まれると、後方クロスバー１４６の別体の後方連結部１４６ａ及び１４６ｂがブラケット１４６ｃを軸に動いて、連結部１４６ａ，１４６ｂのそれぞれの端部が互いに向かって移動する。これによりチェアは、側面視で長方形又は円筒形に折り畳まれた折畳状態となり、対応する側面視形状のバッグやケースにしまうことができる。一実施例において、折り畳まれた状態の側面視の長さは、背もたれバー１５２の長さとすることができる。
【００２３】
図７、図７Ａ、及び図７Ｂには、外側脚１０６ｂを内側脚１０６ａに係止するラッチ１１０の一例も示される。内側脚１０６ａは、スロット１０８を含むことができ、外側脚１０６ｂは、チェアが完全に開いた時に、このスロット１０８に配置されて外側脚１０６ｂを内側脚１０６ａに係止させるラッチ１１０を含むことができる。ユーザがアームレスト１１２ａ，１１２ｂの前部を下方向に押すと、ラッチ１１０がスロット１０８内に係止される。ラッチ１１０は、内側脚１０６ａが折畳位置に向かって外方向に入れ子式に伸長してしまわないよう防止する。鉛直脚１０６は、前方Ｘフレーム１１４の上部と下部とに取り付けられているので、Ｘフレーム１１４を展開して座席底面１０２を広げ、布地に引張力をかける。この実施例において、使用中にチェアが展開位置に維持されるように、チェアの両側にラッチ１１０を有してもよい。しかし、他の実施例において、１つのラッチのみ設けられてもよい。また、鉛直脚に、ラッチ１１０を解除するためのロッカー１５８を設けることができる。ラッチ１１０は、ロッカー１５８に頑丈に取り付けられ、ロッカー１５８を軸として動くようになっている。これにより、ロッカーがラッチ１１０を内側脚１０６ａのスロット１０８の外へ移動させてラッチ機構を外して、内側脚１０６ａが入れ子式に伸長してチェアが折り畳まれる。ロッカー１５８がラッチ１１０をスロット１０８内の所定の位置に保持するようにロッカー１５８を付勢するばね１５３が含まれていてもよい。鉛直脚のラッチを外すには、ユーザは、単にロッカー１５８の上部を押せばよい。内側脚１０６ａの上端には、内側脚１０６ａが外側脚１０６ｂの外に移動してしまうことを防止するストッパ１６０が設けられていてもよい。他の実施例において、外側脚１０６ｂを内側脚１０６ａに係止するためのラッチ１１０は、部分的に、テレスコーピングクランプ、ボタンクリップ装置、簡易脱着ボールロックピン、ロックボタン、内部押圧ボタン、フリップレバークランプ等の装置で構成されていてもよい。
【００２４】
一実施例において、内側脚１０６ａ及び外側脚１０６ｂは、アルミニウムや、その他の好適な、強度があり軽量な材料で形成することができる。ラッチ１１０は、強度及び耐食性をもたせるためにステンレス鋼、又は、プラスチック、ガラス充填材ナイロン、カーボンファイバやその他の剛性の複合材料や積層体などの、同様の特徴をもつその他の好適な材料で形成することができる。同様に、ロッカー１５８は、所定の例においては、強度をもたせるために、ガラス充填材ナイロン、プラスチック、カーボンファイバやその他の剛性の複合材料や積層体で作ることができる。
【００２５】
一実施例において、センターハンドル１２０、２つのリンク１１９、インサート１２１の４つの別体の構成部品でできているオーバーセンターラッチ１１８によって、背もたれ１０４に引張力をかけることができる。オーバーセンターラッチ１１８は、図１２Ａ１のチェアで見える。オーバーセンターラッチ１１８の斜視図を図１２Ａ１に、断面図を図１２Ｃに、後面図を図１２Ｄに示す。オーバーセンターラッチ１１８は、ユーズがセンターハンドル１２０を押し下げることにより作動する。ラッチ１１８は、ユーザがセンターハンドル１２０を押し上げると外れる。ラッチ１１８は、布地を無理やり広げて布地に引張力をかけ、そしてラッチ１１８はオーバーセンターになってその幅を維持する。各リンク１１９の端部がインサート１２１の上部に接すると、ラッチの下方向の移動が停止する。
【００２６】
オーバーセンターラッチを掛けるには、ユーザは、リンク１１９が後方Ｘフレーム１４６を無理やり外側に広げて背もたれ１０４における布地１５５に引張力がかかるように、単にハンドル１２０を下方向に押せばよい。オーバーセンターラッチ１１８を解除するには、ユーザは、リンク１１９によって布地１５５にかかる引張力が解放されるように、単にハンドル１２０を引き上げればよい。
【００２７】
図１３〜図１３Ｃに、背もたれ１０４に引張力をかける別の方法を示す。この実施例では、ラッチ１３２が、リンク１３０ａ，１３０ｂを備えるツーバー連結部１３０で形成されている。リンク１３０ａ，１３０ｂは、ユーザがツーバー連結部１３０を接続するハンドル１３４を下方向に押してリンク１３０ａ，１３０ｂを一直線にさせると、ラッチする。ハンドル１３４は、インサート１３７を含むことができる。インサート１３７は、リンク１３０ａ上のピン１３９ａ，１３９ｂを受けるためのスロット１３７ａ，１３７ｂと、リンク１３０ｂ上に位置するピン１４１を受けるためのスロット１３７ｃとを含む。インサート１３７は、リンク１３０ｂ上に位置するカム又はボス１７０を受ける切り欠き１４３も含むことができる。ツーバー連結部１３０を係止して布地１５５に引張力をかけるためにリンク１３０ａに対してインサート１３７を付勢する不図示のばねを凹部１４５に含めることができる。
【００２８】
ユーザは、ハンドル１３４を押し下げてラッチ１３２を掛ける。これにより、リンク１３０ａ，１３０ｂが、一直線になるまで回転し、切り欠き１４３が、リンク１３０ｂ上に位置するカム１７０に対して所定の位置で係止される。ラッチ１３２を外すには、ユーザは、ハンドル１３４を左方向に摺動させる。ハンドル１３４は、ラッチ１３２に直接取り付けられている。ハンドル１３４及びインサート１３７が左方向に動かされると、ハンドル１３４及びインサート１３７は、リンク１３０ａ上を摺動し、リンク１３０ｂに取り付けられたカム又はボスから外れる。これにより、リンク１３０ｂがリンク１３０ａに対して回転し、チェアが折り畳まれる。
【００２９】
図１５Ａ〜図１８Ｂに、背もたれ１０４に引張力をかける別の方法を示す。これらの図面において、同一又は類似の機能を有する同一又は類似の要素には、その符号が現れる全ての各種図において、同様の符号を付している。この実施例において、ラッチ２３２は、リンク２３０ａ，２３０ｂを備えるツーバー連結部２３０で形成される。このリンク２３０ａ，２３０ｂは、ユーザがツーバー連結部２３０を接続するハンドル２３４を下方向に押してリンク２３０ａ，２３０ｂを一直線にすると、図１５Ａに示すようにラッチする。ハンドル２３４は、ラッチを引張位置から解除するように構成されたラッチ解除機構２３５を含んでもよい。
【００３０】
リンク２３０ａ，２３０ｂは、チェアの背もたれを展開位置又は座位位置に保持するように構成される。リンク２３０ａ，２３０ｂは、背もたれフレーム上で回転するように構成される。また、図１６Ａ〜図１６Ｃに示すように、リンク２３０ａ，２３０ｂは、インサート２３７上の回転軸２６１ａ，２６１ｂを中心に回転するように構成される。リンク２３０ａ，２３０ｂは、インサートのピン２３７ａ，２３７ｂを受けるための切り欠き２４７ａ，２４７ｂを含むこともできる。一実施例において、受ける切り欠き２４７ａ，２４７ｂは、リンク２３０ａ，２３０ｂのそれぞれの近接する端部に位置することができる。
【００３１】
図１６Ａ〜図１８Ｂにも示すように、ハンドル２３４は、内側ブラケット又はインサート２３７を含むことができる。インサート２３７は、ピン２３９ａ，２３９ｂを受けるためのスロット２３７ａ，２３７ｂを含む。スロット２３７ａ，２３７ｂは、インサートの内側寄りに位置することができる。インサート２３７は、リンク２３０ａ，２３０ｂを受けるためのスロット２３７ａ，２３７ｂよりも外側でインサート上に位置する一対の回転軸２６１ａ，２６１ｂも含むことができる。インサート２３７は、ラッチ機構２３５に当接するための突起２５９を含むこともできる。一実施例において、図１５Ｃに示すように、インサート２３７は、一対の板で形成することができる。
【００３２】
再び図１６Ａ〜図１６Ｃを参照して、ラッチ解除機構２３５は、ばね２５７を支持するためのばね支持座部２４９を含むことができる。ばね支持座部２４９は、下側フランジ２５１を含む。フランジの上部は、ばね２５７を支持し、フランジの下部は、インサート２３７上の突起２５９に当接するように構成される。ラッチ解除機構２３５は、図１７Ａ及び図１８Ａに示す、一対の斜めスロット２６５を含んでもよい。一実施例において、斜めスロット２６５は、テンショナの下部によって定められる平面から約４５度の角度で配置され、解除機構上に対称に設置することができる。
【００３３】
ここで、図１６Ａ〜図１８Ｂに関連して、ラッチ２３２の動作を説明する。図１６Ａは、引張位置のラッチ２３２を示す。引張位置において、ラッチ２３２は、チェアの背もたれを展開位置又は座位位置に保持する。ラッチ２３２を解除するには、ユーザは、単にラッチ解除機構２３５をばね２５７に抗して押し上げればよい。これにより、ラッチ２３２が解除位置にある図１６Ｂに示すように、斜めスロット２３５が、ピン２３９ａ，２３９ｂをリンク２３０ａ，２３０ｂの切り欠き２４７ａ，２４７ｂから離れる方向に引っ張る。背もたれが折り畳まれる時、リンク２３０ａ，２３０ｂは、回転軸２６１ａ，２６１ｂを中心に回転し続け、図１６Ｃに示す位置になる。チェアが展開位置に戻された時に、切り欠き２４７ａ，２４７ｂが再びピン２３９ａ，２３９ｂに係合して、リンク２３０ａ，２３０ｂを引張位置に保持するように、ばねは、ラッチ解除機構２３５をインサート２３７に対して継続的に付勢する。
【００３４】
図１９Ａ及び図１９Ｂは、サスペンション布地３８０をフレーム又は押し出し成形品３８４に固定する技術を示す。この実施例において、布地３８０を、コア３８２に巻きつけて、布地３８０自体に重なるように折り返すことによりオーバーラップ部３８８を作ることができる。布地のオーバーラップ部３８８は、その後、超音波によって溶接することができる。オーバーラップ部３８８は、更に、布地を保持するのを助ける接着剤を含んでもよい。また他の実施例において、オーバーラップ部３８８は縫い合わせてもよい。そして、コア３８２を、フレーム３８４を構成する中空部又は円筒の中に入れることができる。所定の実施例において、フレームは、チェア、テーブル、シェルター、テント、スツールなどの多くの消費者製品に用いられうる。
【００３５】
図２０は、図１９Ａの別の図を示し、サスペンション布地３８０をフレーム又は押し出し成形品３８４に固定する技術を示す。コア３８２は、フレーム又は押し出し成形品３８４を構成する中空部又は円筒に形成された非対称の切り欠き３８６の中に入れられる。布地３８０をコア３８２に巻き付けて、チューブ、フレーム、又は押し出し成型品３８４の中空部に形成された非対称に位置する切り欠き３８６の中に設置すると、この構成により、摩擦ばめが形成される。他の実施例において、布地３８０、コア３８２、及び非対称の切り欠き３８６は、サスペンション布地３８０をフレーム又は押し出し成形品３８４に固定するのを援助するために、接着剤を含んでもよい。非対称の切り欠き３８６は、押し出し成形品のどの点（すなわち、上部、側部、中間部等）においても対称ではないフレーム又は押し出し成形品３８４上の箇所にユニークに配置される。切り欠き３８６は、フレーム又は押し出し成形品３８４上に、「偏心して」非対称に位置しても又は配置されてもよい。中空フレーム３８４の頂点を時計の１２時の位置とする場合、切り欠き３８６は、ちょうど又はおおよそ１０時若しくは１１時の位置又は１時若しくは２時の位置で、中空フレーム３８４の中に非対称に配置されてもよい。また他の実施例において、切り欠き３８６は、フレーム３８４内の対称位置に配置されてもよい。例えば、切り欠き３８６は、ちょうど又はおおよそ３時、６時、９時、又は１２時の位置に配置されていてもよい。切り欠き３８６は、略半円形、略円形、又は略楕円形であってもよい。コア３８２は、軟質プラスチック、硬質プラスチック、布地、アルミニウム、木材、鋼、複合材、合金、又はその他の金属であってもよい。他の実施例において、コアは、剛性、半剛性、又は非剛性であってもよい。幾つかの実施例において、コアは、実質的にロッドや円柱のような形状であってもよい。また他の実施例において、プラスチック、ナイロン、発泡体、繊維を編んだもの、布地、アルミニウム、木材、鋼、複合材、合金、金属等から形成できるロッド又はコードを、コアとすることができる。
【００３６】
非対称切り欠き３８６を介してサスペンション布地３８０をフレーム３８４に固定することは、サスペンションフレーム布地とフレームとの間の接続部を隠すことを助け、チェアの見た目をすっきりさせるだろう。また、非対称切り欠き３８６の配置を介してサスペンション布地３８０をフレーム３８４の外側部分に固定することにより、サスペンション布地３８０がフレーム３８４に接触する表面積が増えることもあり、機械的な利点が生まれる。このように生まれた機械的利点により、強度が高まり、サスペンション布地３８０がフレーム又は押し出し成形品３８４に対してより強固に固定される。また、非対称の切り欠きを使用することにより、布地に対する応力量が低減され、チェアの寿命が延びるかもしれない。特に、非対称の切り欠きは、布地とフレームとの接続部が、直接的な負荷から離れた位置になるように助ける。しかし、その全体が参照により本明細書に組み込まれるものとする２０１７年５月２３日に出願された米国特許仮出願１５／６０２，８４１に記載のように、布地をフレームにオーバーモールドする等、布地をフレームに固定する方法は他にも考えられる。
【００３７】
座面の引張機構及び背もたれの引張機構の両方により、チェアの使用中、ユーザが希望するまで、チェアは、その形状を保持し、折り畳まれてしまうことはない。
【００３８】
図２１〜図２９は、背もたれを展開位置又は引張位置に維持するための後方テンショナを含んでもよい別の構成の引張機構をもつ折り畳みチェアを示す。一実施例において、図２２Ａに示すように、後方テンショナ４００は、背もたれ１０４に引張力をかけることができる。図２２Ｂに示すように、後方テンショナ４００は、少なくとも２つの後方テンショナアーム４３０を含んでもよい。
【００３９】
図２３に、図２２Ａの例の後方引張機構の拡大部品図を示す。一実施例において、図２３に示すように、後方テンショナ４００は、ハンドル４０６の把持部分の下のハンドル及び収納部４２２と、後方テンショナアーム４３０ａと、後方テンショナアーム４３０ｂと、後方テンショナキャップ４０４とを含んでもよい。後方テンショナキャップ４０４は、後方クロスバー１４６ａ及び１４８に接続されてもよい。後方テンショナキャップ４０４は、後方テンションを展開位置から引張位置に移動させるように軸回転するように構成される。他の実施例において、後方テンショナ４００は、後方テンショナカバー４０２を含む。一実施例において、後方テンショナアーム４３０ａ及び４３０ｂは、アルムニウムやその他の好適な、強度があり軽量な材料で形成できる。後方テンショナ４００、ハンドル４０６、及び収納部４２２は、所定の例において、強度をもたせるためのガラス充填材ナイロン、プラスチック、又はその他の複合材で作ることができる。図２４Ａに示すように、後方テンショナカバー４０２を取り外すと、回転軸点４０８にアクセスできるようになっていてもよい。回転軸点４０８は、楕円形又は矩形のリザーバ４１２内に据えられる。後方テンショナカバー４０２は、リザーバ４１２と同様な形状となっている（すなわち、楕円形又は矩形である）。回転軸点４０８は、後方テンショナアーム４３０ａ及び４３０ｂを通るピン４１０を保持して、アームを後方テンショナ４００に固定するように構成される。後方テンショナカバー４０２は、複数の柔軟フィンガを含み、リザーバ４１２を覆うように容易に後方テンショナ４００に対してカチッと嵌まる。
【００４０】
図２４Ｂ〜図２４Ｄは、別例の後方テンショナ５００を示す。一実施例において、図２４Ｂに示すように、後方テンショナ５００は、ハンドル５０６と、後方テンショナカバー５０２ａ及び５０２ｂとを含んでもよい。後方テンショナカバー５０２ａ及び５０２ｂは、リザーバ５１２と同様の形状（すなわち略楕円形又は略矩形）になっていてもよい。また他の実施例において、後方テンショナカバー５０２ａ及び５０２ｂは、後方テンショナカバー５０２の底部に構成された複数の柔軟フィンガ５１８を含む。柔軟フィンガ５１８もまた、リザーバ５１２を覆うように容易に後方テンショナ５００にカチッと嵌まるようになっていてもよい。他の実施例において、後方テンショナカバー５０２ａ及び５０２ｂには、複数の上部タブ５１４が構成されていてもよい。上部タブ５１４は、上側凹部５１６に係合するように構成されていてもよい。他の実施例において、柔軟フィンガ５１８は、下側凹部５２０に係合するように構成されていてもよい。他の実施例において、上部タブ５１４を上側凹部５１６内に設置して、後方テンショナカバー５０２ａ及び／又は５０２ｂを下方向に回転させることにより、後方テンショナカバー５０２ａ及び５０２ｂを後方テンショナ５００に取り付けてもよい。そして、図２４Ｄに示すように、柔軟フィンガ５１８を下側凹部５２０にカチッと嵌めて、後方テンショナカバー５０２ａ及び５０２ｂを後方テンショナ５００に固定してもよい。所定の実施例において、柔軟フィンガ５１８を下側凹部５２０から外して（すなわちねじ回しやその他の装置を用いて）、それから上部タブ５１４を上側凹部５１６から外して、後方テンショナカバー５０２ａ及び５０２ｂを取り外すことによって、後方テンショナカバー５０２ａ及び５０２ｂを後方テンショナ５００から取り外してもよい。
【００４１】
一実施例において、後方テンショナ４００を掛止させるには、ユーザは、後方テンショナハンドル４０６を下方向に押すだけである。これにより、後方Ｘフレーム１４６が、回転軸点４０８、ピン４１０、後方テンショナアーム４３０ａ及び４３０ｂによって無理やり外方向に広げられ、背もたれ１０４における布地１５５に引張力がかかる。ユーザは、後方テンショナ４００がオーバーセンター状態になって少なくとも１つの内部のストッパ４１４に当たるまで、下方向の力を強める。後方テンショナを掛止又は解放させる際にユーザが指やその他の身体部位を怪我しないように、ストッパ４１４は、後方テンショナ４００の内部にある。後方テンショナ４００を解放させるには、ユーザは、掛止手順の逆を行い、ハンドル４０６を引き上げる。後方テンショナアーム４３０ａ及び４３０ｂがオーバーセンター状態で跳ね上がり後方テンショナ４００が解放されるまでは、最初に大きな力が必要となり、そしてチェアは折り畳み構成となる。
【００４２】
図２７は、引張力がかかった後方テンショナの断面を示す。ユーザが適切な下方向の力を後方テンショナハンドル４０６にかけて後方テンショナ４００がオーバーセンター状態になると、後方テンショナアーム４３０ａ及び４３０ｂの端部がストッパ４１４に係合する。後方テンショナ４００が掛止されると、図２６Ａに示すように、後方テンショナアーム４３０ａ及び４３０ｂの間に形成される角度は、１８０度よりも大きくなる。アーム４３０ａ及び４３０ｂは、ストッパ４１４に係合すると、ストッパ４１４の上接触面に対して略平行な位置となる。アーム４３０ａ及び４３０ｂは、回転軸点４０８及び後方テンショナ４００に対して、ピン４１０によって固定される。図２８は、解放位置又は展開位置にある後方テンショナ４００を示す。後方テンショナアーム４３０ａ及び４３０ｂは、後方テンショナが解放されて略折畳位置になると、ストッパ４１４の上接触面に対して略垂直となる。後方テンショナ４００が解放されて略折畳位置になると、図２８に示すように、後方テンショナアーム４３０ａ及び４３０ｂの間に形成される角度は９０度よりも小さくなり、後方テンショナアーム４３０ａ及び４３０ｂは略平行となる。
【００４３】
他の実施例において、図２９に示すように、後方テンショナ４００は、ハンドル４０６の下、後方テンショナ４００の上部及び下側にそれぞれ、安全間隙４１６ａ及び４１６ｂを含む。間隙４１６ｂは、後方テンショナアーム４３０ａ及び４３０ｂと後方テンショナとの間にユーザの指がある場合に、アーム４３０がユーザの皮膚や指を挟んでしまわないような大きさになっている。幾つかの実施例において、間隙４１６ｂは、人の指や皮膚を挟んだり傷付けたりしないように、幅が少なくとも１２ｍｍとなっていてよい。他の実施例において、間隙４１６ｂは、幅が約１２ｍｍである。他の実施例において、下側の間隙４１６ａは、幅が少なくとも５ｍｍである。また他の実施例において、間隙４１６ｂの幅は、約５ｍｍ、６ｍｍ、７ｍｍ、８ｍｍ、９ｍｍ、１０ｍｍ、１１ｍｍ、１２ｍｍ、１３ｍｍ、１４ｍｍ、又は１５ｍｍであってもよい。幾つかの実施例において、テンショナが解放されると、上側の間隙４１６ａによって、後方テンショナアーム４３０ａ及び４３０ｂがユーザの指を押し出すようになっている。テンショナが解放される時、後方テンショナアーム４３０ａ及び４３０ｂが移動することにより、人の指が間隙４１６ａから無理やりに出されて、人の指や皮膚が押し潰されたり挟まれたりしないようになっている。また他の実施例において、ハンドル把持部の下のハンドル４０６収納部４２２の上壁を引き上げる又は高さを上げて、上側の安全間隙４１６ａを広くすることにより、ユーザの手指が挟まることを防止してもよい。
【００４４】
図３０Ａ〜図３０Ｆは、後方テンショナ４００の別例を示す。幾つかの実施例において、図３０Ａ及び図３０Ｂに示すように、後方テンショナ４００は、テンショナ収納部４２２内に、一対の弓状スロット４２０に係合するように構成された一対のスロットリベット、突起、又はカム４１８を含んでもよい。後方テンショナアーム又はアーム４３０ａ及び４３０ｂは、保持ピン４１０を介して後方テンショナに接続され、これにより、後方テンショナアームが後方テンショナ上で関節接続又は軸回転可能となる。図３０Ｃに一番よく示されるように、チェアが折畳位置にあるとき、リベット、カム、又は突起４１８は、後方テンショナアーム４３０ａ及び４３０ｂの移動を制限するストッパとなるスロット４２０の端部に移動する。図３０Ｃに示すように、安全間隙４１６ａは、後方テンショナが折畳位置にあるとき、ユーザの指のための隙間を設ける。図３０Ｄ、図３０Ｅ、及び図３０Ｆに示すように、後方テンショナが伸長位置にありチェアのサスペンション材料に引張力がかかると、後方テンショナアーム４３０ａ及び４３０ｂの端部は、スロットリベット又は突起４１８とスロット４２０とに導かれ、ストッパ４１４に係合するように構成される。ストッパ４１４により、後方テンショナアーム４３０ａ及び４３０ｂがそれ以上移動することが阻止される。伸長位置において、サスペンション布地の弾性性質がテンショナアーム４３０ａ及び４３０ｂに対して働き、テンショナチューブ又はアーム４３０ａ及び４３０ｂの端部が、ストッパ４１４に対して付勢される。
【００４５】
図３１Ａは、カップホルダ１８０付きの折り畳みチェアの別例を示す。他の実施例において、折り畳みチェアは、チェアの一方の側から他方の側へ逆にできる又は入れ替えることができる取り外し可能のカップホルダ１８０を含んでもよい。つまり、カップホルダ１８０は、アームレスト１１２Ａから１１２Ｂへ、またその反対に、取り替えてもよい。幾つかの実施例において、図３１Ｂに示すように、取り外し可能のカップホルダ１８０は、図３１Ａに示すようにカップホルダクリップ１８２に取り付けられるカップホルダ支持部１８４を更に含んでもよい。カップホルダ支持部１８４は、上下逆さまのＵ字状であってもよく、カップホルダクリップ１８２にスライド装着させてもよい。所定の実施例において、カップホルダ支持部１８４は、安定性を提供しカップホルダクリップ１８２に係合するように構成された複数のガイド１８６及びバッキング１８８を含んでもよい。ガイド１８６は、カップホルダクリップ１８２に形成された１以上の窪みの中にスライドさせて、カップホルダ１８０をカップホルダクリップ１８２に固定させてもよい。ガイド１８６は、弾性があり、チェアにカップホルダ１８０を留めるために、カップホルダクリップ１８２に形成された１以上の窪み内に付勢されるように構成されてもよい。しかし、カップホルダ１８０をチェアフレームに固定する他の例として、バーブ継ぎ手、玉継ぎ手、ねじ継ぎ手、接着剤、面ファスナ、及びその他の既知の方法等の、他の摩擦式の嵌合及び機械的な締結等も考えられる。他の代替実施例において、図１４に示す例示的なチェアのように、カップホルダ１８０は、アームレスト１１２Ａ及び／又は１１２Ｂと一体に形成される。
【００４６】
幾つかの実施例において、カップホルダ支持部１８４は、カップホルダ１８０に縫い付けてもよいし、接着剤や溶接等、当業者に周知の技術で固定してもよい。また他の実施例において、カップホルダ支持部１８４は、カップホルダ１８０と一体に形成されてもよい。幾つかの実施例において、カップホルダクリップ１８２は、チェアの左側又は右側の鉛直脚１０６上にあってもよい。また他の実施例において、折り畳みチェアは、鉛直脚１０６の各側に複数のカップホルダクリップ１８２を含んでもよい。更に他の実施例において、カップホルダ１８０は、キャンバス素材又はナイロン素材で構成されてもよい。また他の実施例において、カップホルダ１８０は、硬質成形プラスチックで構成されてもよい。
【００４７】
本開示は、各種実施例を参照して、上記及び添付の図面に開示される。しかし、本開示が目的とすることは、本開示に関する様々な特徴や概念の例を提供することであり、本発明の範囲を限定することではない。関連技術の当業者であれば、本開示の範囲から逸脱することなく上記の例に対して数々の変形や変更を加えてもよいことを認識するだろう。
【図１】
2021511109.tif 000003
【図２】
2021511109.tif 000004
【図３】
2021511109.tif 000005
【図４】
2021511109.tif 000006
【図５】
2021511109.tif 000007
【図６】
2021511109.tif 000008
【図７】
2021511109.tif 000009
【図７Ａ】
2021511109.tif 000010
【図７Ｂ】
2021511109.tif 000011
【図８】
2021511109.tif 000012
【図９】
2021511109.tif 000013
【図１０】
2021511109.tif 000014
【図１１】
2021511109.tif 000015
【図１２】
2021511109.tif 000016
【図１２Ａ１】
2021511109.tif 000017
【図１２Ａ２】
2021511109.tif 000018
【図１２Ｃ】
2021511109.tif 000019
【図１２Ｄ】
2021511109.tif 000020
【図１３】
2021511109.tif 000021
【図１３Ａ】
2021511109.tif 000022
【図１３Ｂ】
2021511109.tif 000023
【図１３Ｃ】
2021511109.tif 000024
【図１４】
2021511109.tif 000025
【図１５Ａ】
2021511109.tif 000026
【図１５Ｂ】
2021511109.tif 000027
【図１５Ｃ】
2021511109.tif 000028
【図１６Ａ】
2021511109.tif 000029
【図１６Ｂ】
2021511109.tif 000030
【図１６Ｃ】
2021511109.tif 000031
【図１７Ａ】
2021511109.tif 000032
【図１７Ｂ】
2021511109.tif 000033
【図１８Ａ】
2021511109.tif 000034
【図１８Ｂ】
2021511109.tif 000035
【図１９Ａ】
2021511109.tif 000036
【図１９Ｂ】
2021511109.tif 000037
【図２０】
2021511109.tif 000038
【図２１Ａ】
2021511109.tif 000039
【図２１Ｂ】
2021511109.tif 000040
【図２２Ａ】
2021511109.tif 000041
【図２２Ｂ】
2021511109.tif 000042
【図２３】
2021511109.tif 000043
【図２４Ａ】
2021511109.tif 000044
【図２４Ｂ】
2021511109.tif 000045
【図２４Ｃ】
2021511109.tif 000046
【図２４Ｄ】
2021511109.tif 000047
【図２５Ａ】
2021511109.tif 000048
【図２５Ｂ】
2021511109.tif 000049
【図２６Ａ】
2021511109.tif 000050
【図２６Ｂ】
2021511109.tif 000051
【図２７】
2021511109.tif 000052
【図２８】
2021511109.tif 000053
【図２９】
2021511109.tif 000054
【図３０Ａ】
2021511109.tif 000055
【図３０Ｂ】
2021511109.tif 000056
【図３０Ｃ】
2021511109.tif 000057
【図３０Ｄ】
2021511109.tif 000058
【図３０Ｅ】
2021511109.tif 000059
【図３０Ｆ】
2021511109.tif 000060
【図３１Ａ】
2021511109.tif 000061
【図３１Ｂ】
2021511109.tif 000062
【図３２Ａ】
2021511109.tif 000063
【図３２Ｂ】
2021511109.tif 000064
【図３２Ｃ】
2021511109.tif 000065
【図３３Ａ】
2021511109.tif 000066
【図３３Ｂ】
2021511109.tif 000067
【図３３Ｃ】
2021511109.tif 000068
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
一対の座面バーによって形成される座席座面であって、一対の鉛直脚によって引張力がかけられる座席座面と、
斜めに延びる一対の背もたれバーによって形成される背もたれと、
一対のクロスバーによって形成される前方フレームと、
後方クロスバーによって形成される後方フレームと、
一対のアームレストと
を備える折り畳みチェアであって、
前記座席座面及び前記背もたれが、サスペンション布地で形成され、前記サスペンション布地が、オーバーラップ部と、前記オーバーラップ部によって作られた中空部内に設置されるコアとを有し、前記中空部内の前記コアが、斜めに延びる前記一対の背もたれバーの上部に非対称に位置する切り欠き内に固定され、
前記鉛直脚の各々に、内側脚と外側脚とが設けられ、前記内側脚が、前記外側脚の中から入れ子式に伸長するように構成され、
前記鉛直脚の少なくとも一方に、前記外側脚を前記内側脚に係止するためのラッチが設けられ、前記ラッチが、ロッカーと突起とを備え、前記内側脚に形成されたスロットから外へ前記突起を回転させて出すように構成され、
前記ラッチが、前記突起を前記内側脚の前記スロット内に維持するための第１の付勢部材を更に備える、折り畳みチェア。
【請求項２】
前記サスペンション布地が、
第１の糸と、
第２の糸と、
熱可塑性のポリウレタンフィルムと
を更に備え、
前記第１の糸が、ポリマーであり、前記第２の糸が、前記第１の糸よりもエラストマー性が高く、
前記熱可塑性ポリウレタンフィルムが、前記第１の糸及び前記第２の糸にヒートプレスされた、請求項１に記載の折り畳みチェア。
【請求項３】
一対の座面バーによって形成される座席座面であって、一対の鉛直脚によって引張力がかけられる座席座面と、
斜めに延びる一対の背もたれバーによって形成される背もたれと、
一対のクロスバーによって形成される前方フレームと、
後方クロスバーによって形成される後方フレームと、
一対のアームレストと
を備える折り畳みチェアであって、
前記座席座面及び前記背もたれが、サスペンション布地で形成され、
前記鉛直脚の各々に、内側脚と外側脚とが設けられ、前記内側脚が、前記外側脚の中から入れ子式に伸長するように構成され、前記鉛直脚の少なくとも一方に、前記外側脚を前記内側脚に係止するためのラッチが設けられ、前記ラッチが、ロッカーと突起とを備え、前記内側脚に形成されたスロットから外へ前記突起を回転させて出すように構成され、
前記背もたれが、前記背もたれを展開位置又は引張位置に維持するように構成されたテンショナを含み、前記テンショナが、後方テンショナハンドルと、一対の後方テンショナアームとを備える、折り畳みチェア。
【請求項４】
前記背もたれサスペンション布地が、オーバーラップ部と、前記オーバーラップ部によって作られた中空部内に設置されるコアとを有し、
前記サスペンション布地が、
第１の糸と、
第２の糸と、
熱可塑性のポリウレタンフィルムと
を更に備え、
前記第１の糸が、ポリマーであり、前記第２の糸が、前記第１の糸よりもエラストマー性が高く、
前記熱可塑性ポリウレタンフィルムが、前記第１の糸及び前記第２の糸にヒートプレスされた、請求項３に記載の折り畳みチェア。
【請求項５】
前記中空部内の前記コアが、斜めに延びる前記一対の背もたれバーの上部に非対称に位置する切り欠き内に固定される、請求項４に記載の折り畳みチェア。
【請求項６】
前記テンショナが、少なくとも１つの内部ストッパと、複数の回転軸点とを更に備える、請求項３に記載の折り畳みチェア。
【請求項７】
ユーザが、前記テンショナがオーバーセンター点を越えて前記内部ストッパに接触するまで前記後方テンショナハンドルに対して下方向の力を徐々に強めるように加えると、前記テンショナが、前記引張位置に移動するように構成され、
前記サスペンション布地のみによって、前記テンショナが前記引張位置に留められる、請求項６に記載の折り畳みチェア。
【請求項８】
ユーザが、前記テンショナがオーバーセンター点を越えて前記引張位置から折畳位置に解放されるまで前記後方テンショナハンドルに対して上方向の力を徐々に強めるように加えると、前記テンショナが、前記引張位置から解放されるように構成された、請求項６に記載の折り畳みチェア。
【請求項９】
前記テンショナが、更に、前記テンショナ内部の面と前記テンショナアームの一方との間に安全間隙を備える、請求項３に記載の折り畳みチェア。
【請求項１０】
前記テンショナアームの各々が、テンショナ収納部に画成されたスロット内を誘導されるカムを有し、前記スロットが、前記テンショナの解除中、前記テンショナアームの移動を制限して前記安全間隙を維持する、請求項９に記載の折り畳みチェア。
【請求項１１】
前記テンショナが前記引張位置にあるとき、前記一対のテンショナアームが、その下側に１８０度よりも大きい角度を形成し、その上側に１８０度よりも小さい角度を形成する、請求項３に記載の折り畳みチェア。
【請求項１２】
前記テンショナが、前記テンショナアームを受けるための一対の回転軸を有する収納部を画成し、
前記一対の回転軸が、ユーザに露出しないように前記収納部の内部に位置する、請求項３に記載の折り畳みチェア。
【請求項１３】
前記ハンドルが、前記テンショナから上方向に延出する、請求項３に記載の折り畳みチェア。
【請求項１４】
前記サスペンション布地のみによって、前記テンショナが前記引張位置に留められる、請求項９に記載の折り畳みチェア。＾
【請求項１５】
一対の座面バーによって形成される座席座面であって、一対の鉛直脚によって引張力がかけられる座席座面と、
斜めに延びる一対の背もたれバーによって形成される背もたれと、
一対のクロスバーによって形成される前方フレームと、
後方クロスバーによって形成される後方フレームと、
一対のアームレストと
を備える折り畳みチェアであって、
前記座席座面及び前記背もたれが、サスペンション布地で形成され、
前記背もたれサスペンション布地が、オーバーラップ部と、前記オーバーラップ部によって作られた中空部内に設置されるコアとを有し、前記中空部内の前記コアが、斜めに延びる前記一対の背もたれバーの上部の非対称な切り欠き内に固定され、
前記サスペンション布地オーバーラップ部が、第１の糸と、第２の糸と、熱可塑性のポリウレタンフィルムとを更に含み、前記第１の糸が、ポリマーであり、前記第２の糸が、前記第１の糸よりもエラストマー性が高く、前記熱可塑性ポリウレタンフィルムが、前記第１の糸及び前記第２の糸にヒートプレスされ、
前記鉛直脚の各々に、内側脚と外側脚とが設けられ、前記内側脚が、前記外側脚の中から入れ子式に伸長するように構成され、前記鉛直脚の少なくとも一方に、前記外側脚を前記内側脚に係止するためのラッチが設けられ、前記ラッチが、ロッカーと突起とを備え、前記内側脚に形成されたスロットから外へ前記突起を回転させて出すように構成され、
前記背もたれが、前記背もたれを展開位置又は引張位置に維持するように構成されたテンショナを含む、折り畳みチェア。
【請求項１６】
前記テンショナが、一対の弓状スロットと、各々が突起を有する一対のアームとを備え、前記弓状スロットが、前記一対のアームと収納部内部の面とが前記テンショナ上に安全間隙を画成するように、前記一対のアームの移動を制限する、請求項１５に記載の折り畳みチェア。
【請求項１７】
前記サスペンション布地が、前記テンショナを前記引張位置に維持する、請求項１５に記載の折り畳みチェア。
【請求項１８】
前記テンショナが、一対のストッパを更に備え、前記サスペンション布地が単独で前記一対のアームを前記一対のストッパに対して付勢する、請求項１５に記載の折り畳みチェア。
【国際調査報告】
2021511109.tif 000069
2021511109.tif 000070